(57)【要約】【課題】平面形状の外壁だけでなく、横方向に湾曲する外壁にも設置可能な植栽容器を提供すること。【解決手段】植物を植えるための開口部１６を前面に有する植栽用空間と、その植栽用空間の下部に形成された植栽用水を貯留する貯水部とを有する容器本体１を備え、吸水性の植栽床材を、その一部が貯水部内に位置するように植栽用空間に載置して植栽する植栽容器であって、容器本体の前面の左右両端に配置される左右の側壁のうちの一方に係合部７を設けると共に、他方の側壁に別の容器本体１の係合部７と係合可能な被係合部８を設け、容器本体１を横方向に複数配置したときに、隣り合う容器本体１同士が相対角度変更可能に係合するように構成してある植栽容器。【選択図】図１
2011101607.tif 000002
【特許請求の範囲】
【請求項１】
植物を植えるための開口部を前面に有する植栽用空間と、その植栽用空間の下部に形成された植栽用水を貯留する貯水部とを有する容器本体を備え、吸水性の植栽床材を、その一部が前記貯水部内に位置するように前記植栽用空間に載置して植栽する植栽容器であって、
前記容器本体の前面の左右両端に配置される左右の側壁のうちの一方に係合部を設けると共に、他方の側壁に別の前記容器本体の前記係合部と係合可能な被係合部を設け、
前記容器本体を横方向に複数配置したときに、隣り合う容器本体同士が相対角度変更可能に係合するように構成してある植栽容器。
【請求項２】
前記容器本体の左右の側壁の前側端部のうちの一方に係合部を設けると共に、他方の前側端部に別の前記容器本体の前記係合部と係合可能な被係合部を設けてある請求項１に記載の植栽容器。
【請求項３】
前記係合部及び前記被係合部は、容器本体の高さ方向全体に亘って設けてある請求項１又は２に記載の植栽容器。
【請求項４】
前記左右の側壁の間隔が、容器本体の後方へ行くほど狭くなるように設定される請求項２に記載の植栽容器。
【請求項５】
前記容器本体は、前記貯水部に前記植栽用水を供給する第１給水口と、前記容器本体を横方向に複数配置したときに、隣り合う容器本体のうち少なくとも一方の貯水部に前記植栽用水を供給する第２給水口とを備える請求項１〜４のいずれか１項に記載の植栽容器。
【発明の詳細な説明】
【技術分野】
【０００１】
本発明は、植物を植えるための開口部を前面に有する植栽用空間と、その植栽用空間の下部に形成された植栽用水を貯留する貯水部とを有する容器本体を備え、吸水性の植栽床材を、その一部が前記貯水部内に位置するように前記植栽用空間に載置して植栽する植栽容器に関するものである。
【背景技術】
【０００２】
このような植栽容器は、都市部におけるヒートアイランド現象の抑制、都市景観の向上、直射日光による外壁温度の上昇を抑制して外壁まわりの熱負荷を低減することなどを意図して、様々な建物の壁面緑化構造等に適用されている（特許文献１参照）。
【先行技術文献】
【特許文献】
【０００３】
【特許文献１】特開２００９−４５０１５号公報
【発明の概要】
【発明が解決しようとする課題】
【０００４】
しかしながら、従来の植栽容器では、平面形状の壁を形成することはできても、曲面形状の壁を形成することは困難であった。そのため、例えば建物の隅角部等のように、横方向に湾曲する外壁部分では、その曲面に沿って植栽容器を配置することが困難であり、そのような従来の植栽容器を配置すると建物の景観を損なうことがあった。
従って本発明の目的は、平面形状の外壁だけでなく、横方向に湾曲する外壁にも設置可能な植栽容器を提供することにある。
【課題を解決するための手段】
【０００５】
本発明に係る第１特徴構成は、植物を植えるための開口部を前面に有する植栽用空間と、その植栽用空間の下部に形成された植栽用水を貯留する貯水部とを有する容器本体を備え、吸水性の植栽床材を、その一部が前記貯水部内に位置するように前記植栽用空間に載置して植栽する植栽容器であって、前記容器本体の前面の左右両端に配置される左右の側壁のうちの一方に係合部を設けると共に、他方の側壁に別の前記容器本体の前記係合部と係合可能な被係合部を設け、前記容器本体を横方向に複数配置したときに、隣り合う容器本体同士が相対角度変更可能に係合するように構成してある点にある。
【０００６】
〔作用及び効果〕
本構成によれば、隣り合う容器本体同士の相対角度変更を自在に変更することができるので、複数の植栽容器を横方向に配置する場合において、それらの植栽容器を直線的な配置だけでなく、所望の曲線に沿うように配置することができる。
そして、例えば、容器本体を縦方向に積み重ねる場合には、このように直線的または曲線的に配置された植栽容器の上にさらに植栽容器を積み重ねていくことによって、植栽容器からなる壁の形状を平面形状だけでなく、横方向に湾曲する曲面形状に形成することができる。
従って、本構成の植栽容器であれば、例えば建物の隅角部等のように、横方向に湾曲する外壁部分においても、その曲面に沿って配置することができるので、建物の景観を損なうこともない。
【０００７】
本発明に係る第２特徴構成は、前記容器本体の左右の側壁の前側端部のうちの一方に係合部を設けると共に、他方の前側端部に別の前記容器本体の前記係合部と係合可能な被係合部を設けてある点にある。
【０００８】
〔作用及び効果〕
本構成によれば、係合部及び被係合部が左右の側壁の中間部等に設けられている場合と異なり、隣り合う容器本体の前面同士を互いに近づけようとする方向に相対角度を変更しようとする際、容器本体同士の側壁の前側端部同士が接触することがないので、係合部及び被係合部が左右の側壁の中間部等に設けられている場合と比べて相対角度を変更する際の自由度が大きい。
【０００９】
本発明に係る第３特徴構成は、前記係合部及び前記被係合部は、容器本体の高さ方向全体に亘って設けてある点にある。
【００１０】
〔作用及び効果〕
本構成によれば、係合部及び被係合部を容器本体の高さ方向全体に亘ってあるため、係合部と被係合部とを係合させながら横方向に配置した時に、容器本体同士の間に隙間が生じることがなく見栄えがよくなる。
【００１１】
本発明に係る第４特徴構成は、前記左右の側壁の間隔が、容器本体の後方へ行くほど狭くなるように設定される点にある。
【００１２】
〔作用及び効果〕
本構成によれば、容器本体の平面視における形状が扇形となるため、隣り合う容器本体の前面同士を互いに遠ざけようとする方向に相対角度を変更しようとする際の自由度が、左右の側壁の間隔が一定の容器本体と比べてより大きく設定される。
【００１３】
本発明に係る第５特徴構成は、前記容器本体は、前記貯水部に前記植栽用水を供給する第１給水口と、前記容器本体を横方向に複数配置したときに、隣り合う容器本体のうち少なくとも一方の貯水部に前記植栽用水を供給する第２給水口とを備える点にある。
【００１４】
〔作用及び効果〕
本構成によれば、一つの植栽容器に給水するだけで、その植栽容器と隣り合う植栽容器にも給水することが可能となるため、複数の植栽容器に効率良く給水することができる。
【図面の簡単な説明】
【００１５】
【図１】容器本体とその蓋部材の斜視図
【図２】容器本体を横方向に複数配置したときの斜視図
【図３】容器本体を横方向に複数配置したときの平面図
【図４】係合部と被係合部との係合状態を示す平面図
【図５】容器本体を縦方向に複数配置したときの縦断側面図
【図６】容器本体を縦方向に複数配置したときの縦断正面図
【図７】横方向に湾曲する建物の外壁に沿って形成された植栽容器の壁の斜視図。
【発明を実施するための形態】
【００１６】
以下に、本発明に係る植栽容器の実施の形態を図面に基づいて説明する。
この植栽容器は、図１及び図２に示すように、合成樹脂製の容器本体１を備え、その容器本体１は、植物Ｐを栽培するための植栽用空間１５を形成するように、底壁２とその底壁２の四辺から立設される、右側壁３、左側壁４、背面壁５、及びこれらの壁より上下長さの短い前壁６を一体的に備えて構成されている。本実施形態における容器本体１は、平面視において、右側壁３と左側壁４との間隔が、容器本体１の後方へ行くほど狭くなるように設定されている。尚、右側壁３と左側壁４との立設角度β（図７参照）は１５°が望ましい。
【００１７】
図１に示すように、右及び左側壁３，４の上端前方には、後述する蓋部材２２の第１係止片２８ａ，２８ｂが係止する第１被係止部９ａ，９ｂが設けられており、右及び左側壁３，４の上端中間には、後述する蓋部材２２の凸部２９ａ,２９ｂ、又は直上に配置される別の容器本体１の凸部２ａ,２ｂが嵌入する凹入部１１ａ，１１ｂが設けられている。
【００１８】
また右側壁３の上端後方には、後述するＴ字管１３の第２給水口１３ｂを挿通させるための凹部１２ａが設けられており、左側壁４の上端後方には、左に隣接する別の植栽容器の給水用チューブ３４を挿通させるための凹部１２ｂが設けられている。
【００１９】
背面壁５の左右中央部には、縦方向に延びる縦リブ１９が設けられており、背面壁５の上部の右及び左側のそれぞれに、後述する蓋部材２２の第２係止片３０ａ，３０ｂが係止する第２被係止孔１０ａ，１０ｂが設けられている。
【００２０】
図６に示すように、容器本体１の底壁２の右及び左後方のそれぞれには、中空の長筒体１７及び短筒体１８が底壁２を上下に貫通する状態で一体的に設けられている。
長筒体１７は、その内部に植栽用水Ｗを流すための給水管であり、短筒体１８は、貯水部１４内における植栽用水Ｗを一定量以下に維持するためのオーバーフロー用の排水口１８ａを形成するためのものである。
【００２１】
図５に示すように、容器本体１の上面に、後述する蓋部材２２又は別の容器本体１を載置して取り付けた状態で植栽用空間１５が形成されて、植物を植えるための開口部１６が前面に位置するように構成されている。尚、植栽用空間１５の下部空間、即ち、容器本体１の底壁２、右側壁３、左側壁４、背面壁５、及び前壁６によって囲まれた空間が、植栽用水Ｗを貯水するための貯水部１４を形成するように構成されている。
【００２２】
図５に示すように、植栽用空間１５には、スポンジなどの吸水性材料からなり、立方体、直方体、または、円柱状などの各種形状の植栽床材Ａが載置される。このとき、背面壁５の縦リブ１９は、植栽床材Ａの植栽用空間１５内における前後方向の移動規制部材として機能する。すなわち、植栽床材Ａが、縦リブ１９に当設することによって、それ以上後方に配置されることがなく、これにより、植栽床材Ａによって排水口１８ａが塞がれるのを防止する。
【００２３】
植栽床材Ａの載置面２０としての底壁２、言い換えると、貯水部１４の底壁２が、植栽用空間１５の開口部１６側ほど上方に位置し開口部１６から遠ざかる側ほど下方に位置する傾斜角αを有する傾斜面に形成されている。
【００２４】
図１に示すように、蓋部材２２は、天面２３とその天面２３の四辺から立設される、前壁２４、右側壁２５、左側壁２６、及び背面壁２７を一体的に備える。蓋部材２２の右及び左側壁２５，２６の前方のそれぞれの窪みには第１係止片２８ａ，２８ｂが設けられており、右及び左側壁２５，２６の中間部のそれぞれには凸部２９ａ，２９ｂが設けられており、背面壁２７の右及び左側のそれぞれの窪みには第２係止片３０ａ，３０ｂが設けられている。また、蓋部材２２の天面２３の後方の左右中間部には、断面Ｈ形状の案内部３１が立設されており、右側壁２５、左側壁２６、及び背面壁２７よりも内側の天面２３には、これらの壁に沿って内壁部３２が立設されている。
【００２５】
蓋部材２２を、容器本体１の上面開口に載置して上から押し付けると、右側壁２５の第１係止片２８ａ及び左側壁２６の第１係止片２８ｂのそれぞれが、容器本体１の右側壁３の第１被係止部９ａ及び左側壁４の第１被係止部９ｂに係止すると共に、右側壁２５の凸部２９ａ及び左側壁２６の凸部２９ｂのそれぞれが、容器本体１の右側壁３の凹入部１１ａ及び左側壁４の凹入部１１ｂに嵌入し、さらに、背面壁２７の右側の第２係止片３０ａ及び左側の第２係止片３０ｂのそれぞれが、容器本体１の背面壁５の右側の第２被係止孔１０ａ及び左側の第２被係止孔１０ｂに係止して固定される。
【００２６】
蓋部材２２の内壁部３２と案内部３１は、容器本体１の右側壁３、左側壁４、及び背面壁５によって形成される上面開口の中に嵌め込まれる。このとき、図６に示すように、Ｔ字管１３の第１給水口１３ａが、案内部３１の右側面と対峙する状態となる。
【００２７】
図１及び図２に示すように、右側壁３の前側端部に係合部７が、左側壁４の前側端部に別の容器本体１の係合部７と係合可能な被係合部８が、容器本体１の高さ方向全体に亘って設けてある。
【００２８】
図２及び図３に示すように、容器本体１は、植栽用空間１５の開口部１６を同じ方向に向けた状態で横方向に複数配置したときに、容器本体１の係合部７と別の容器本体１の被係合部８とを係合させることで、隣り合う容器本体１同士が、相対角度変更可能に係合する。
【００２９】
本実施形態においては、係合部７及び被係合部８のそれぞれが右側壁３及び左側壁４の中間部等に設けられている場合と異なり、隣り合う容器本体１の前面同士を互いに近づけようとする方向に相対角度を変更しようとする際、容器本体１同士の右側壁３及び左側壁４の前側端部同士が接触することがないので、係合部７及び被係合部８のそれぞれが右側壁３及び左側壁４の中間部等に設けられている場合と比べて相対角度を変更する際の自由度が大きい。
【００３０】
さらに本実施形態においては、右側壁３と左側壁４との間隔が、容器本体１の後方へ行くほど狭くなるように設定されており、容器本体１の平面視における形状が扇形となるため、隣り合う容器本体１の前面同士を互いに遠ざけようとする方向に相対角度を変更しようとする際の自由度が、右側壁３と左側壁４との間隔が一定の容器本体と比べて、より大きく設定される。
【００３１】
図４に示すように、係合部７は円弧状の断面を有しており、被係合部８は滑らかに湾曲する凹凸状の断面を有する。容器本体１の係合部７の円弧状の内曲面７ａに、別の容器本体１の被係合部８の円状の凸状部８ａが入り込むことで、容器本体１の係合部７と別の容器本体１の被係合部８とが係合するように構成されている。
【００３２】
この状態において、容器本体１と、その隣に配置される別の容器本体１とは、容器本体１の左側壁４と別の容器本体１の右側壁３とが互いに接触する位置から、容器本体１の前面と別の容器本体１の前面とが略Ｌ字状に直交する位置まで、相対角度変更可能に配置される。
【００３３】
また、図５及び図６に示すように、容器本体１は、植栽用空間１５の開口部１６を同じ方向に向けた状態で、縦方向に積み重ねて配置することができる。つまり、容器本体１を縦方向に積み重ねた際、上方に位置する容器本体１の底壁２の下面が、下方に位置する容器本体１の右側壁３、左側壁４、及び背面壁５の上縁に当接する。そして、上方に位置する容器本体１の底壁２の段部２ｃが、下方に位置する容器本体１の上面開口に嵌入する。さらに、図示しないが、上方に位置する容器本体１の底壁２の凸部２ａ，２ｂのそれぞれが、下方に位置する容器本体１の凹入部１１ａ，１１ｂに嵌入するように設定されている。
【００３４】
次に、この植栽容器の使用方法について説明する。
図２及び図３に示すように、複数の容器本体１を、建物の外壁に沿って横方向に配置して、隣り合う容器本体１同士の係合部７と被係合部８とを係合する。このとき容器本体１は、隣り合う容器本体１同士の相対角度変を自在に変更することができるので、直線的な配置だけでなく、横方向に湾曲する外壁部分の曲線に沿うように配置することができる。
【００３５】
そして、容器本体１の中に植栽床材Ａを設置して、植栽容器の第１段目（最下段）を形成する。尚、第１段目の植栽容器は、その直下に配置される図示しないベース部によって支持される。当該ベース部は、任意のフロア等に載置可能な矩形の部材である。第１段目の植栽容器は、その容器本体１の段部２ｃが図示しないベース部の上面開口に嵌入した状態で固定される。
【００３６】
次いで、第１段目の植栽容器の上に、第２段目、第３段目、第４段目、・・・と建物の外壁を覆うように所定の高さまで容器本体１を積み上げていき、隣り合う容器本体１同士の係合部７と被係合部８とを係合することによって、図７に示すように横方向に湾曲する外壁部分の曲面Ｂに沿った曲面形状を有する植栽容器の壁が形成される。
【００３７】
次いで、最上段に配置される容器本体１の右端から２番目、４番目、・・・２ｎ番目（ｎは自然数）の容器本体１のそれぞれの長筒体１７の上端から、長筒体１７の内径よりも小さな外径を有する給水用ホース３３を挿入して、第１段目の容器本体１の長筒体１７の下端（底壁２から突出する部分）から出てくるまで挿通させて、図示しない給水ポンプに接続する。
【００３８】
そして、図２、図３及び図６に示すように、Ｔ字管１３を、最上段の容器本体１の長筒体１７の上端から突出する給水用ホース３３の先端部分に取り付ける。このとき、Ｔ字管１３の接続部１３ｃに、給水用ホース３３の先端部分を内嵌接続すると共に、Ｔ字管１３の第２給水口１３ｂを右側壁３の凹部１２ａに配置して、その先端が右側壁３から突出する状態とする。
【００３９】
突出したＴ字管１３の第２給水口１３ｂに給水用チューブ３４を内嵌接続して、給水用チューブ３４を右隣りの容器本体１の左側壁４の凹部１２ｂに挿入する。このとき、給水用チューブ３４は、その先端が右隣りの容器本体１の縦リブ１９の左側面に向くように配置される。
【００４０】
最後に、図２に示すように、最上段の全ての容器本体１の中に植栽床材Ａを設置し、さらに上から各容器本体１の上面開口に蓋部材２２を嵌め込んで組み立てを完了する。
【００４１】
植栽用水Ｗの給水は、図示しない給水ポンプで給水用ホース３３に水を送り込むことによって行うことができる。このとき、図６に示すように、植栽用水Ｗは、ポンプの作用で給水用ホース３３を上昇する。給水用ホース３３を上昇してきた植栽用水Ｗは、最上段の植栽容器の長筒体１７まで到達すると、その上端にあるＴ字管１３で第１給水口１３ａ側と第２給水口１３ｂ側の２方向に分流する。
【００４２】
Ｔ字管１３の第１給水口１３ａから排出された植栽用水Ｗは、蓋部材２２の案内部３１の右側面に当たり、その下の貯水部１４に給水される。また、Ｔ字管１３の第２給水口１３ｂから排出された植栽用水Ｗは、給水用チューブ３４を通って右隣の植栽容器の縦リブ１９の左側面に当たり、その下の貯水部１４に給水される。
【００４３】
最上段の植栽容器の貯水部１４における貯水レベルが短筒体１８の排水口１８ａの高さにまで達すると、植栽用水Ｗはオーバーフローして排水口１８ａに流れ込み、直下に位置する容器本体１の貯水部１４に流下する。そして、順次下方の植栽容器でオーバーフローが繰り返されて、最終的には、全ての植栽容器の貯水部１４に給水される。
【００４４】
そして、第１段目の植栽容器からオーバーフローした植栽用水Ｗは、図示しないベース部の中か、あるいはベース部の外側に配置された貯水用タンク（図示せず）内に貯水される。従って、必要な場合には、例えば、貯水用タンク内に貯水された植栽用水Ｗをポンプにより再び給水用ホース３３に送り込むことで植栽用水Ｗを循環させるようにしても良い。
【００４５】
このように、各植栽床材Ａが、その一部を貯水部１４内の植栽用水Ｗに浸した状態で載置されるので、各植栽床材Ａが植栽用水Ｗを吸水しながら、植物Ｐの根に植栽用水Ｗを供給して植栽することになる。
【００４６】
植栽床材Ａを載置する載置面２０としての底壁２が、植栽用空間１５の開口部１６側ほど上方に位置し開口部１６から遠ざかる側ほど下方に位置する傾斜角αを有する傾斜面に形成されているので、植栽床材Ａは、図５に示すように、開口部１６から遠ざかる側が植栽用水Ｗ内に浸漬し、開口部１６側が植栽用水Ｗに少しだけ浸漬するか、場合によっては、植栽用水Ｗに浸漬しない状態となる。
【００４７】
したがって、植物Ｐの根が生長して伸びようとする根圏を大きく確保することができ、かつ、その根圏に対して十分な量の植栽用水Ｗが供給されて良好な植物の生育が保証される。
【００４８】
〔別実施形態〕
（１）前述の実施形態における係合部７及び被係合部８のそれぞれを、左側壁４及び右側壁３に設ける構成としても良い。また、係合部７及び被係合部８を設ける位置は、右側壁３及び左側壁４のそれぞれの前側端部に限定されるものではなく、隣り合う容器本体１同士が相対角度変更可能に係合する位置であれば、右側壁３及び左側壁４のいずれの位置でも良い。
（２）前述の実施形態におけるＴ字管１３の第２給水口１３ｂをさらに分岐させて、隣り合う左右両方の容器本体１に植栽用水Ｗを給水する構成としても良い。
（３）前述の実施形態における植栽容器を縦方向に一段だけ配置する構成としても良い。
（４）前述の実施形態の容器本体１における右側壁３と左側壁４との間隔が、容器本体１の前方へ行くほど狭くなるように設定されていても良い。
【産業上の利用可能性】
【００４９】
本発明は、建物の壁面緑化構造だけでなく、屋上緑化構造等にも適用可能であり、特に横方向に湾曲する外壁に設置する場合に適する。
【符号の説明】
【００５０】
１    容器本体
３    右側壁
４    左側壁
７    係合部
８    被係合部
１３    Ｔ字管
１３ａ  第１吸水口
１３ｂ  第２吸水口
１４    貯水部
１５    植栽用空間
１６    開口部
Ｗ    植栽用水
Ａ    植栽床材
【図１】
2011101607.tif 000003
【図２】
2011101607.tif 000004
【図３】
2011101607.tif 000005
【図４】
2011101607.tif 000006
【図５】
2011101607.tif 000007
【図６】
2011101607.tif 000008
【図７】
2011101607.tif 000009